(57)【要約】      （修正有）【課題】開封テープ付き補強紙で袋底を閉鎖する構造で１回限りの利用にとどまっている底折りばり紙袋に代わって、開封テープの廃棄物処理を必要とせず、複数回の使用が可能な底折りばり紙袋を提供する。【解決手段】袋端部を折り曲げ底部閉鎖部を形成する前に、開封と封緘両用の紙製バンドを所定の箇所に接着して二つ折りし、その上側の部分で補強紙を引き裂いて最初の開封を行い、その後紙製バンドを袋端部の折り曲げ箇所に移行して最初の袋底を新しい袋口とし、以後紙製バンドにより封緘と開封が複数回行われることを可能とするものである。【選択図】図２
0003101438.tif 000002
【実用新案登録請求の範囲】
【請求項１】
ひだ付き筒状体の一端部を少なくとも１回以上折り曲げ、補強紙で包囲して底部閉鎖部を形成する紙袋において、複数回使用可能な強度と長さを有する資材によって前記補強紙が引き裂かれ、開封された後は前記一端部が新しい袋口となり、以後は前記資材によって封緘と開封が行われ、複数回の使用が可能となることを特徴とする紙袋。
【請求項２】
前記資材が比較的硬質な紙製バンドであることを特徴とする請求項１に記載の紙袋。
【考案の詳細な説明】
【技術分野】
【０００１】    本考案は、開封のため補強紙の引き裂きに使用された資材によってその後の封緘と開封が行われることにより、複数回の使用を可能とするひだ付き底折りばり紙袋に関する。
【背景技術】
【０００２】    紙袋の開封方法としては、袋口に付けられた口ひもをほどく、ミシン縫いした袋口または袋底のミシン糸を引き抜く、補強紙で包囲閉鎖された袋底を開封用テープで引き裂く等が一般的に知られている。
ミシン糸を引き抜かれ、あるいは、開封用テープで引き裂かれた紙袋は、そのままでは包装容器としての再利用が困難であり廃棄物として処理されている。
近年資源の有効利用と廃棄物の発生抑制が叫ばれるようになり、１回限りの利用にとどまっている紙袋についても複数回の使用、特に開封後そのままで再利用できるような改善が求められているが、これに対応するものとしては特開２００２−１９３２７１により開封用テープ付き底折りばり紙袋の袋底に比較的硬質の締結用バンドを装着しておく発明が公開されている。それによれば、最初の開封は従来どおり開封用テープで補強紙を引き裂く方法で行い、２度目以降の封緘と開封は、袋口（最初の袋底）に接着した締結用バンドによりいわゆるひも付き袋と同様の方法で行なうとされている。
【考案の開示】
【考案が解決しようとする課題】
【０００３】    前記特開２００２−１９３２７１によれば、締結用バンドはあらかじめ袋底の外層と内層の間に接着され、両端が袋側縁から突出しないよう壁面に折り重ねるとなっている。
その製造方法は明示されていないが、締結用バンドの材料費のほかその接着と両端の折り重ねに要する費用が従来の底折りばり紙袋の製造経費に上乗せされることはやむを得ないところである。一方、紙袋の需要者側からすれば、従来廃棄物処理されていたものが再利用できるメリットとそのため紙袋価格上昇によるデメリットを勘案してその採用を判断するであろうから、紙袋の製造側としては需要確保を図るためにはコストアップをできるだけ押さえると言うことが大きな課題である。
次に、開封用テープは、補強紙を引き裂くため相当な強度を持つ必要があり合成樹脂製のものが一般的であるが、合成樹脂製であることが開封後に問題となることが多いと言われている。一例を挙げれば精米工場において開封された紙袋から分離された合成樹脂製開封用テープが、玄米に紛れて精米装置内に入りトラブルを生じることを危惧する声がある。
また、廃棄物処理を行なう場合にも紙製品とは厳密に区分する必要があり手間がかかると言う声も聞かれるので、これらにどう対応するかも課題である。
【課題を解決するための手段】
【０００４】    紙袋の製造に際して、ひだ付き筒状体の袋底を少なくとも１回以上折り曲げ補強紙で包囲閉鎖して形成する底部閉鎖部の中に、二つ折りした複数回使用可能な強度と長さを有する比較的硬質な紙製バンド（以下「紙バンド」と言う。）を配しておき、二つ折りした上側の部分で補強紙を引き裂いて最初の開封を行ない、その後利用者の手によって紙バンド全体を新しい袋口（最初の袋底）に移行し、これによって２度目以降使用の際の封緘と開封を行なうこととする。
【考案の効果】
【０００５】    本考案にかかる紙袋は、最初の開封も紙バンドで対応できるから、合成樹脂製開封用テープが不要となり、それに関連する経費が節減できる。また、紙バンドを接着した後の折り曲げ箇所も１箇所であるから、両端をそれぞれ折り重ねる場合よりも工程が簡単で、それだけコストを押さえることができる。
複数回使用可能な紙袋の増加は、資源の有効利用にも貢献することであり、この紙袋が合成樹脂製開封用テープを必要としないことから廃棄物処理の手間が省け、環境に優しい製品をとの期待に応えることができる。
【考案を実施するための最良の形態】
【０００６】    所定の長さに裁断された直線切りひだ付き筒状体の一端部の両端縁近傍に紙バンド通しのための切り込みを入れた後、封緘に必要な長さの紙バンドを補強紙の幅と同じ長さの部分が筒状体側縁からはみ出るようにずらして筒状体本体に接着し、はみ出た部分を折り曲げ重ねる。その後筒状体一端部を折り曲げ、補強紙を折り曲げ部分とそれに隣接する紙バンド上側の部分を覆うように包囲して筒状体に接着し底部閉鎖部を形成する。
最初に紙バンドで補強紙を引き裂いて開封した後、紙バンドを筒状体本体から剥離して、新しい袋口（最初の袋底）両側縁近傍に設けた紙バンド通しに通して２回目以降の封緘と開封に使用する。封緘の際は荷造りを完全にするため折り曲げ回数を紙袋製造時よりも１回多くすることが望ましい。紙バンドは、必要本数の紙ひもを並列帯状に固着させたものである。
【実施例１】
【０００７】    本考案を、直線切り、ひだ付き、２層、底２回折りばり構造の紙袋の例によって説明する。
所定の長さに裁断された直線切り筒状体１は、再使用の際に必要な紙バンド通し１０のための切り込み、紙バンド５接着、紙バンド５二つ折り、筒状体１一端部２回折り曲げ、補強紙４接着の各工程を経て底部閉鎖部が形成される。
紙バンド通し１０は、筒状体１一端部折り曲げ側の外層両側縁の近傍にそれぞれ二列に１回目の折り曲げ線８から２回目の折り曲げ線９に向けて紙バンド５の幅よりやや広い長さで切り込みを入れ形成する。
紙バンド５は、筒状体１が製造工程に従って移動する側の側縁より外に補強紙４の幅と同じ長さの部分をはみ出させて、筒状体１一端部折り曲げ部分が筒状体１本体に重なった場合に予定される１回目の折り曲げ線８の外側に隣接して平行に筒状体１本体に接着する。
接着された部分は、最初の開封後再利用のため剥離されることになるので、接着剤の使用は必要最小限度にとどめる。
紙バンド５の筒状体１の側縁からはみ出ている部分を折り曲げ重ね合わせて上側とし、下側の部分より長い部分を筒状体１本体に下側の場合と同様に軽く接着しておく。
筒状体１一端部２回折り曲げ工程及び補強紙４接着工程は、公知の技術であるので説明を省略するが、紙バンド５の上側の部分と補強紙４を接着する場合も開封後紙バンド５が再利用されることに配慮し、接着剤の使用は必要最小限度にとどめる。
【実施例２】
【０００８】    筒状体の層数が増えるに従って直線切りそのままでは袋底折り曲げ部分の厚みが増してくる。また、この部分には最初の開封後も接着された補強紙の大部分が残っている。さらに再利用の際には紙袋製造時よりも折り曲げ回数を１回多くすることが望ましい。このような状況から重量袋のような３層以上の場合は再利用の際の手作業で行なう袋口（最初の袋底）折り曲げ封緘作業が容易でないという問題が生じる。その対策としては、筒状体製造工程においてパーホレーションによる裁断方法により一部の層を袋底方向にずらすことによって、袋底折り曲げ部分の層数を筒状体本体部分より少なくする方法がある。例えば３層のうち外側の２層をずらして折り曲げ部分を２層とすればそれだけ厚みを減らすことができる。その場合でも折り曲げ部分は補強紙が包囲しているので強度面では筒状体本体部分と変わりはない。また、３層のうち外側の１層をずらせば折り曲げ部分が１層となり、さらに厚みを減らすことができる。その場合補強紙としては通常の補強紙より強度の優れているもの（例えばコルスネス社製高強度クラフトテープ）を使用することによって筒状体本体部分と変わらない強度を保持することが可能である。
層をずらした場合は、そのままでは必然的に袋口側の層数が減り、ミシン縫いの場合等では強度に問題が生じるが、その対策としては実用新案登録第３０７０３５０号で開示されている方法によって、袋口の層数の少なくなった部分を前後それぞれ外側に折り曲げ接着する、あるいは、その部分に必要な強度を有する補強紙を接着する方法によって袋口を補強すればよい。
【図面の簡単な説明】
【０００９】
【図１】      本考案により形成された複数回使用可能な紙袋（直線切り、ひだ付き、２層、袋底２回折り曲げ）を偏平な状態で見た概略的な平面図である。
【図２】      図１に示された紙袋をＡ−Ａ線に沿って切断した断面図である。
【図３】      図１に示された紙袋の袋底をＢ−Ｂ線に沿って切断した断面図である。
【図４】      図１の紙袋が開封され、再利用のための紙バンドを紙バンド通しに通した状態を示す斜視図である。
【図５】      図１に示された紙袋の袋底を形成する工程を（ａ）から（ｆ）まで順を追って示した説明図である。（ａ）筒状体に紙バンド通しのための切り込みを入れた状態。（ｂ）紙バンドを接着した状態。（ｃ）紙バンドを二つ折りした状態。（ｄ）筒状体一端部を１回折り曲げ線で折り曲げた状態。（ｅ）同じく２回折り曲げ線で折り曲げた状態。（ｆ）補強紙で包囲閉鎖して底部閉鎖部を形成した状態。
【図６】      本考案により形成された３層袋であって外側の２層をずらし折り曲げ部分の層数を２層としたものであり、袋口の突出した内層をそれぞれ前後に折り曲げ、外層に接着したことを示す断面図である。
【図７】      本考案により形成された３層袋であって外側の１層をずらし折り曲げ部分の層数を１層としたものであり、袋口の突出した内側の２層の外側にそれぞれ外層の端縁を含めて補強紙を接着したことを示す断面図である。
【符号の説明】
【００１０】    １    筒状体
２    ひだ
３    ひだ谷折り線
４    補強紙
５    紙バンド
６    外層
７    ２層の場合は内層、３層の場合は中間層
８    １回目の折り曲げ線
９    ２回目の折り曲げ線
１０  紙バンド通し
１１  外層と補強紙の接着箇所
１２  １回目の折り曲げ面
１３  ２回目の折り曲げ面
１４  袋口折り曲げ箇所
１５  ３層の場合の内層
【図１】
0003101438.tif 000003
【図２】
0003101438.tif 000004
【図３】
0003101438.tif 000005
【図４】
0003101438.tif 000006
【図５】
0003101438.tif 000007
【図６】
0003101438.tif 000008
【図７】
0003101438.tif 000009